(57)【要約】【課題】  梱包後であっても開梱することなく、開閉蓋を開けて外部接続端子を含むインターフェイスユニットを着脱できるようにした機器と梱包装置を提供する。【解決手段】  外部接続端子を含むインターフェイスユニット２を外側から着脱可能にした機器１と、同機器１の下部を収容する下部箱体３、および同下部箱体３に対向して前記機器１の上部を被覆する上部箱体４によって構成される梱包装置とからなり、前記上部箱体４に、前記外部接続端子を含むインターフェイスユニット２の着脱位置に対向する開閉蓋５を設け、同開閉蓋５の一部が閉止時に前記下部箱体３に当接するようにした。【選択図】  図１
2006347613.tif 000002
【特許請求の範囲】
【請求項１】
外部接続端子を含むインターフェイスユニットを外側から着脱可能にした機器と、同機器の下部を収容する下部箱体、および同下部箱体に対向して前記機器の上部を被覆する上部箱体によって構成される梱包装置とからなり、
前記上部箱体に、前記外部接続端子を含むインターフェイスユニットの着脱位置に対向する開閉蓋を設け、同開閉蓋の一部が閉止時に前記下部箱体に当接するようにしてなることを特徴とする機器と梱包装置。
【請求項２】
前記開閉蓋が前記上部箱体に設けられたミシン目または切り込みにより形成されてなることを特徴とする請求項１に記載の機器と梱包装置。
【発明の詳細な説明】
【技術分野】
【０００１】
本発明は、外部接続端子を含むインターフェイスユニットを着脱可能にした機器と、同機器を梱包する梱包装置とに係わり、さらに詳しく言えば、梱包後であっても開梱することなく開閉蓋を開けて前記外部接続端子を含むインターフェイスユニットを着脱できるようにした構造に関するものである。
【背景技術】
【０００２】
従来の梱包装置（梱包箱）としては、電源ケーブルや接続ケーブル等の付属品を交換しなければならない時でも、梱包を解いて蓋を開けたり、機器（被梱包体）を一旦梱包装置から取り出したりしなくても済むものとして、機器（被梱包体）とその付属品とを一つにまとめて梱包する為の梱包装置（梱包箱）であって、機器（被梱包体）とその付属品を収納するための蓋の他に、付属品を出し入れするための蓋を設けた構成でなるものが開示されていた（例えば、特許文献１参照。）。
【０００３】
しかしながら、上記構成でなる梱包装置（梱包箱）においては、例えば外部接続端子を含むインターフェイスユニットを着脱可能にした機器（被梱包体）を梱包したような場合、梱包後であっても開梱して被梱包体を取り出すことなく、前記外部接続端子を含むインターフェイスユニットを容易に着脱することができるようにはなっていない。
【０００４】
つまり、例えば輸出先（仕向け地）、または用途によって仕様が異なる表示装置のような機器（被梱包体）の前記外部接続端子を含むインターフェイスユニットを、前記梱包装置（梱包箱）に設けられた開閉蓋を開けることによって着脱できるようになっていないという不便さがあった。
【０００５】
【特許文献１】実開平７−６１２３号公報
【発明の開示】
【発明が解決しようとする課題】
【０００６】
そこで、本発明は上述した課題を解決するためになされたものであって、その目的は、梱包後であっても開梱することなく、開閉蓋を開けて外部接続端子を含むインターフェイスユニットを着脱できるようにした機器と梱包装置を提供することにある。
【課題を解決するための手段】
【０００７】
上述した目的を達成するため、本発明は以下に示すいくつかの特徴を備えている。
外部接続端子を含むインターフェイスユニットを外側から着脱可能にした機器と、同機器の下部を収容する下部箱体、および同下部箱体に対向して前記機器の上部を被覆する上部箱体によって構成される梱包装置とからなり、
前記上部箱体に、前記外部接続端子を含むインターフェイスユニットの着脱位置に対向する開閉蓋を設け、同開閉蓋の一部が閉止時に前記下部箱体に当接するようにしてなることを特徴としている。          
【０００８】
また、前記開閉蓋が前記上部箱体に設けられたミシン目または切り込みにより形成されてなることを特徴としている。
【発明の効果】
【０００９】
本発明によれば、上部箱体に、外部接続端子を含むインターフェイスユニットの着脱位置に対向する開閉蓋を設けたことによって、梱包装置を開梱して機器（被梱包体）を取り出すことなく、前記外部接続端子を含むインターフェイスユニットを前記開閉蓋を開いて着脱できるようにした機器と梱包装置になる。
【００１０】
また、前記開閉蓋の閉止時には、同開閉蓋の一部が下部箱体に当接するようにしたことによって、同開閉蓋を閉止（固定）した際、同開閉蓋に強度をもたせることができるようになる。
【００１１】
また、前記開閉蓋は、前記対向面に設けられたミシン目や切り込みによって形成されたことにより、必要に応じて、前記外部接続端子を含むインターフェイスユニットの着脱位置に対向するように容易に開くことができるようになる。
なお前記開閉蓋は、必要に応じて開けたのち、同開閉蓋の一部を下部箱体に当接させて梱包用のジョイント部材やテープなどを用いて閉止（固定）すればよい。
【発明を実施するための最良の形態】
【００１２】
次に、本発明の実施形態について図面を参照しながら説明する。
図１は本発明による機器と梱包装置の実施例１を示す説明図で、（Ａ）は外観斜視図、（Ｂ）は開閉蓋を開けた状態を示す要部斜視図であり、図２は機器に外部接続端子を含むインターフェイスユニットを着脱する状態を示す斜視図である。
【実施例１】
【００１３】
本発明に係る梱包装置は、実施例１として図１（Ａ）および図１（Ｂ）に示すように、例えばＰＤＰ（プラズマディスプレイ）のような機器（被梱包体）１の上下部を緩衝体９で保護すると共に、同機器（被梱包体）１の下部を下部箱体３に収容し、同下部箱体３に対向する上部箱体４により前記機器（被梱包体）１の上部を被覆して、バンド10によって複数まとめてバインドされた状態でパレット８上に載置されるようになっている。
【００１４】
前記機器（被梱包体）１が輸出品等であるような場合、外部接続端子を含むインターフェイスユニット２が仕向け地（国）によって異なることがあることから、本発明においては、前記梱包装置を開梱して（上部箱体４を取り外して）前記機器（被梱包体）１を取り出すのではなく、前記上部箱体４に設けられた開閉蓋５を開けることによって形成される開口5'を利用して、前記外部接続端子を含むインターフェイスユニット２を前記機器（被梱包体）１に容易に着脱することができるようにしている。
【００１５】
上記構成でなる梱包装置によって梱包される前記機器（被梱包体）１は、図２に示すように、同機器（被梱包体）１の外側から前記外部接続端子を含むインターフェイスユニット２を着脱可能にした構成になっている。
【００１６】
前記上部箱体４には、前記外部接続端子を含むインターフェイスユニット２が着脱される着脱位置に対向する対向面4aに、前記外部接続端子を含むインターフェイスユニット２を通すための開閉蓋５が設けられており、この開閉蓋５を開けることによって前記開口5'が形成されるようになっている。
【００１７】
前記開閉蓋５は、図１（Ａ）に示すような折り目4bと、ミシン目4bまたは切り込み4cとで構成されており、前記折り目4bから折り曲げることにより前記開口5'が形成されて、図１（Ｂ）に示す矢印のように、前記外部接続端子を含むインターフェイスユニット２を前記機器（被梱包体）１に着脱するようにしたり、電源ケーブルや接続ケーブル等の付属品、もしくは保証書や取扱説明書等を収納した内箱６を出し入れできるようにしている。
【００１８】
また、前記開閉蓋５は、別部材によって製作されるのではなく、前期上部箱体４の対向面4aに設けられた折り目4bと、ミシン目4bまたは切り込み4cとで形成されるようにしたことによってコスト的に有利な構成になっており、一旦開いたのちに閉じるような場合は、図１（Ａ）に示すように梱包用のテープ（またはジョイント部材）11を用いることによって閉止（固定）すればよい。
【００１９】
その際、前記開閉蓋５は、その一部を図１（Ｂ）に示す前記下部箱体３に当接させるようにした状態で閉止（固定）することにより、前記開閉蓋５に強度をもたせた状態で正確に閉止（固定）できるようになる。
【００２０】
これによって、前記バンド10を取り外したのち、前記上部箱体４を上方に引き上げながら取り外したり、または、同上部箱体４の上面のテープを取り外し、且つ同上部箱体４のフラップを開くことによって前記梱包装置を開墾するといった作業を不要にして、上述したように、前記開閉蓋５を開けることによって形成される前記開口5'を利用して、前記外部接続端子を含むインターフェイスユニット２を前記機器（被梱包体）１に容易に着脱することができるようになる。
【００２１】
なお、前記機器（被梱包体）１がビニール袋で被覆されたのちに梱包されているような場合には、図示はしないが、同ビニール袋に前記着脱位置と前記開閉蓋５との間を連通させるような連通部を設けておけばよい。
【００２２】
また、前記梱包装置が前記バンド10によって図１（Ａ）に示すように複数個が一緒にバインドされるような場合には、前記上部箱体４には、前記開閉蓋５が設けられた前記対向面4aが対向する面同志を互いに当接させるための目印となる矢印ａが印刷されており、これによって、同矢印ａで示す側の面同志を互いに当接させることで、前記梱包装置が複数個一緒にバインドされた場合でも前記開閉蓋５を開けることができるようになる。
【図面の簡単な説明】
【００２３】
【図１】本発明による機器と梱包装置の実施例１を示す説明図で、（Ａ）は外観斜視図であり、（Ｂ）は開閉蓋を開けた状態を示す要部斜視図である。
【図２】機器に外部接続端子を含むインターフェイスユニットを着脱する状態を示す斜視図である。
【符号の説明】
【００２４】
１  機器（被梱包体）
２  外部接続端子を含むインターフェイスユニット
３  下部箱体
４  上部箱体
4a  対向面
4b  折り目
4c  ミシン目または切り込み
５  開閉蓋
5'  開口
６  内箱
７  穴
８  パレット
９  緩衝体
10  バンド
11  ジョイント部材、テープ
12  付属品
【図１】
2006347613.tif 000003
【図２】
2006347613.tif 000004